(57)【要約】    【課題】  手から簡易に着脱できるメリヤス編みの作業用手袋を提供することである。    【解決手段】  メリヤス編み機により形成した手袋布地の掌側２の指部から手袋裾にかけて摩擦部材による滑り止め加工３を施し、手甲４の小指側の下端縁から指先にかけて縦方向に４〜６ｃｍ一本の切り込み５を入れ、この切り込み縁及び下端の開口部全周縁にバイアス加工５を施し、手甲４側へ開閉する係止帯７をこの切り込み線に沿って逢着し、この係止帯内面に面雄ファスナー８を配設するとともにこの面雄ファスナアーに接合する面雌ファスナー９を係止帯７の対向面の手甲３に配置した作業用手袋の構成である。【選択図】        図１
0003109264.tif 000002
【実用新案登録請求の範囲】
【請求項１】
メリヤス編み機により形成した手袋の掌側の指部から手袋裾部分に摩擦部材による滑り止め加工を施し、手甲の小指側の下端縁から指先にかけて縦方向に４〜６ｃｍ一本の切り込みを入れ、この切り込み縁及び下端の開口部全周縁にバイアス加工を施し、手甲側へ開閉する係止帯をこの切り込み線に沿って逢着し、この係止帯内面に面雄ファスナーを配設するとともにこの面雄ファスナアーに接合する面雌ファスナーを係止帯の対向面の手甲に配置してなることを特徴とする作業用手袋。
【請求項２】
前記滑り止め加工が、摩擦面を形成する樹脂液に布地表面を浸漬する浸漬加工、布地の表面に樹脂液を塗布または樹脂シートを貼着する樹脂張り加工または布地表面に多数の突起を配列する突起加工から選ばれた１つの加工であることを特徴とする請求項１に記載の作業用手袋。
【考案の詳細な説明】
【技術分野】
【０００１】
本考案は、掌面に指部から手首部分にかけて滑り止め加工が施してあるメリヤス編み機による作業用手袋に関する。
【背景技術】
【０００２】
作業用手袋は、メリヤス編みの軍手などが多く使用されている。特に、運送業、鉱業、土木建築業、農業、製造業などの作業における重い荷物などを運搬する場合の作業用手袋には掌側に滑り防止するためにゴムなどのすべり難い物質による表面加工したものが使用されている。例えば、布手袋の表面にゴム製や合成樹脂製の滑り止め層を形成したもの（特許文献１）。掌側にゴムばりを施し、甲部の下端に伸縮帯を形成し、この手首部分に切り込みを設けたもの（特許文献２）及び掌側にゴム張りを施した手袋の下端周縁に面ファスナー付きのゴムバンドを取り付けたもの（特許文献３）などが知られている。
【０００３】
【特許文献１】実用新案登録第３００９７１９号号公報
【特許文献２】特許第３０６９５５４号公報
【特許文献３】実用新案登録第３１０５１４５号公報図１
【０００４】
特許文献１は布製、綿布製手袋の表面に柔軟性のゴム、樹脂などからなる滑り止め層を形成したものであるが、手袋の開口部が狭く、作業中の着脱が簡易にできなかった。特に、引越し作業などの時には手袋の取り外しが頻繁に行われるところでは作業性に悪かった。また特許文献２は掌側のゴム張りとは別に手甲側の手首部分にゴム糸を編みこんだ伸縮帯とし、この手甲の弾性層上端に切り込みを入れ、この切り込みの周縁にゴム若しくは高分子樹脂よりなる連続した帯状弾性層を形成したもので、手首部分の開口部を狭くし、伸縮性の弾性帯で形成してあるから切り込みがあっても抜け難くしたものである。しかし、切り込みが開放されているので開口部から手を挿入し易さはあるが抜け易かった。特に、草取り作業や重量物の運搬に際しては抜け易さは改善されなかった。特許文献３は手袋下端の手首部分の周縁に開閉自在のゴムバンドを取り付けたものであるが、このように下端周辺の手首部分にゴムバンドを逢着する工程を必要とし、このゴムバンドに面ファスナーを備えたものである。従って、手首部分で手の挿入、脱出を行なうので簡易に着脱できない問題点があった。
【考案の開示】
【考案が解決しようとする課題】
【０００５】
従来の作業用手袋は手に装着したときの作業性において一長一短があり、実際の作業おいては手からの着脱操作が速やかに簡易に行なわれ難かった。特に、トラック運転などの場合、運転時、筆記時に手袋の脱ぐ回数が多く頻繁に着脱を行なう際には手袋の着脱が短時間に行なえず面倒であった。
本考案はこのような荷物の運搬などの手作業性に優れ、従来のメリヤス編み機により簡易に製造することができる作業用手袋を提供するものである。
本考案の課題は、安価に製造することができ、手からの着脱が容易な作業用手袋を提供するものである。
【課題を解決するための手段】
【０００６】
本考案の前記課題は、次のような構成によって達成することができる。
メリヤス編み機により形成した手袋の掌側の指部から手袋裾部分に摩擦部材による滑り止め加工を施し、手甲の弾性編部分の小指側の下端縁から指先にかけて縦方向に４〜６ｃｍ一本の切り込みを入れ、この切り込み縁及び下端の開口部全周縁にバイアス加工を施し、手甲側へ開閉する係止帯をこの切り込み線に沿って逢着し、この係止帯内面に面雄ファスナーを配設するとともにこの面雄ファスナアーに接合する面雌ファスナーを係止帯の対向面の手甲に配置してなる作業用手袋の構成である。
【０００７】
本考案の前記課題は、前記滑り止め加工が、摩擦面を形成する樹脂液に布地表面を浸漬する浸漬加工、布地の表面に樹脂液を塗布または樹脂シートを貼着する樹脂張り加工または布地表面に多数の突起を配列する突起加工から選ばれた１つの加工が施された作業用手袋の構成によって達成できる。
【考案の効果】
【０００８】
本考案の作業用手袋は、掌側にゴムなどの摩擦部材による滑り止めがあり、重量物の運搬などの作業に際して確実に抱えて搬送することができる。特に、手袋の開口部分に切り込みがあるため、手袋内に手の挿入が楽であり、しかもこの切り込みに係止帯を備えてあるので手に装着した後は係止帯によって手首上端に強く巻きつけることができるから装着後は抜け難く、重量物を運搬する時にも脱落することがない。従って、作業用手袋としては非常に効果的である。
【０００９】
また、手から着脱する際には切り込みがあるために、面ファスナーを有する係止帯を開閉するだけで手の出し入れが楽にでき、着脱操作性に優れている。しかも装着時は手首上端部が係止帯によって強く縛り付けられるので指の先端が先まで入り込むことになるので指先の作業が容易にできる。
また、開口部全周がバイアス加工されているので、手の挿入または脱出が円滑に行なえる。
【考案を実施するための最良の形態】
【００１０】
本考案の作業用手袋について図面に示す実施の形態に基づいて説明する。
図１は本考案作業用手袋の手甲側を示す斜視図である。図２は本考案作業用手袋の掌側の斜視図である。図３は本考案の作業用手袋の係止帯を閉成した状態の説明図である。
【００１１】
本考案の作業用手袋について図面に示す実施形態に基づいて説明する。
図面において、１は作業用手袋本体で綿やナイロン等の合成繊維糸またはこれらの混合糸をメリヤス編み機によって編んで手袋の形状に形成し、この手袋の裾部分は弾性糸によって編み込まれている。このように製造された作業用手袋本体１の掌側２の表面に滑り止め層３が施されている。この滑り止め層３はゴムなどの耐摩擦性合成樹脂からなり、合成樹脂としては合成ゴム、ＡＢＳ樹脂、塩化ビニール、ナイロン、ポリエステル、ポリエチレンなどが使用できる。
【００１２】
前記滑り止め層３を布地の表面に形成するための加工作業は、前記耐摩擦性合成樹脂液に、メリヤス編み機によって編みこまれた手袋（軍手）の掌側を浸して指先から手袋裾部分までに加工を施し、乾燥する。
また、編みこまれて形成した手袋の表面に合成樹脂液を流しかけて付着させ、余分の樹脂液を滴下して乾燥して製造する。
その他、多数の突起を有する型プレートで型押ししてゴムシートに多数の突起を形成する。更に、他の方法としては、ゴムシートの片面に接着剤を塗布して手袋表面に張り付けるなどして滑り止め層３を形成する。
【００１３】
メリヤス編み機により製造した作業用手袋本体１の開口部の手甲４の小指側（図１右側）の下端近傍に切り込み５を入れる。この切り込み５の長さはその先端が手袋裾の弾性編み部分の上端近傍に位置する程度で、４〜６ｃｍ位である。
この切り込み５縁を含めた作業用手袋本体１の下端全周縁６にバイアス加工を施す。これによって手の挿入、脱出が楽になっている。
【００１４】
この切り込み５の左側（図１参照）に沿って係止帯７を逢着する。この係止帯７の接合面には面雄ファスナー８が取り付けてある。一方この係止帯７の対向面の手甲３の表面には面雌ファスナー９を取り付けてある。
【図面の簡単な説明】
【００１５】
【図１】本考案の作業用手袋の手甲側を示す斜視図である。
【図２】本考案の作業用手袋の掌側の斜視図である。
【図３】本考案の作業用手袋の係止帯を閉成した状態の説明図である。
【符号の説明】
【００１６】
１      作業用手袋本体
２      掌  
３      滑り止め層
４      手甲
５      切り込み
６      周縁
７      係止帯
８      面雄ファスナー
９      面雌ファスナー  
【図１】
0003109264.tif 000003
【図２】
0003109264.tif 000004
【図３】
0003109264.tif 000005